(57)【要約】【課題】容易に電気接続箱の箱本体に取り付けることができる電線を通す導出部を備えたカバーを提供する。【解決手段】電気接続箱１は箱本体２とカバー３を備えている。箱本体２には電気部品が取り付けられる。カバー３は一対のカバー部材６ａ，６ｂを備えている。一対のカバー部材６ａ，６ｂはそれぞれ半管部９を備えている。一対のカバー部材６ａ，６ｂが箱本体２に取り付けられると半管部９は一体となって導出部１３を構成する。導出部１３は電気部品と接続する端子金具に取り付けられた電線を通す。カバー３の導出部１３は一対のカバー部材６ａ，６ｂに分割されている。【選択図】図２
2005269862.tif 000002
【特許請求の範囲】
【請求項１】
電気接続箱の電気部品を装着する箱本体に取り付けられるとともに、前記電気部品に接続される電線を通す導出部と、を備えたカバーにおいて、
互いに着脱自在な一対のカバー部材を備え、
前記カバー部材は、それぞれ、互いに取り付けられると、前記導出部を構成する連通部を備えたことを特徴とするカバー。
【請求項２】
前記カバー部材は、それぞれ、互いに取り付けられると、互いに重なる重なり部を備えたことを特徴とする請求項１記載のカバー。
【請求項３】
前記重なり部は、一対のカバー部材相互の結合箇所の全長に亘って設けられていることを特徴とする請求項２記載のカバー。
【請求項４】
一対のカバー部材のうち一方のカバー部材の重なり部に、他方のカバー部材の重なり部に向かって凸のリブを設け、他方のカバー部材の重なり部に前記リブが侵入する溝を設けたことを特徴とする請求項２又は請求項３記載のカバー。
【請求項５】
前記一対のカバー部材は、前記箱本体に取り付けられると、この箱本体と重なるとともに、
前記リブと前記溝の少なくとも一部は、前記一対のカバー部材が前記箱本体と重なる方向に沿って延びていることを特徴とする請求項４記載のカバー。
【請求項６】
治具台と、この治具台から立設した複数のピンと、を備えた位置決め治具を用いて、前記一対のカバー部材が前記箱本体に取り付けられるとともに、
前記カバー部材は、それぞれ、前記ピンに係合する位置決め部を備え、位置決め部に前記ピンが係合して、前記位置決め治具に位置決めされることを特徴とする請求項１ないし請求項５のうちいずれか一項に記載のカバー。
【請求項７】
前記位置決め部が、前記カバー部材の外方向に凸の突部と、この突部の表面から凹の凹溝と、を備えたことを特徴とする請求項６記載のカバー。
【請求項８】
前記凹溝は、断面円弧状に形成されていることを特徴とする請求項７記載のカバー。
【請求項９】
請求項１ないし請求項８のうちいずれか一項に記載のカバーを備えたことを特徴とする電気接続箱。
【請求項１０】
電気部品に接続される電線を通す導出部を備えたカバーを、前記電気部品を装着する箱本体に取り付ける電気接続箱のカバーの取り付け方法において、
前記カバーは、互いに着脱自在な一対のカバー部材を備え、
前記カバー部材は、それぞれ、互いに取り付けられると、前記導出部を構成する連通部を備えており、
前記箱本体の一方のカバー部材が取り付けられる箇所から離れる方向に前記電線を曲げて、一方のカバー部材を取り付け、
前記電線を前記箱本体に取り付けられた一方のカバー部材の連通部内に位置付けて、この一方のカバー部材に近づける方向に曲げて、他方のカバー部材を前記箱本体に取り付けることを特徴とする電気接続箱のカバーの取り付け方法。
【発明の詳細な説明】
【技術分野】
【０００１】
本発明は、移動体としての自動車などに搭載される電気接続箱を構成するカバー、このカバーを備えた電気接続箱及び電気接続箱のカバーの取り付け方法に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱（例えば、特許文献１参照。）とも呼ばれる。本明細書では、前述したヒューズブロック、リレーボックス、ジャンクションブロックを、総称して以下電気接続箱と呼ぶ。
【０００５】
特許文献１に示された電気接続箱は、ヒューズ、ヒュージブルリンクなどの電気部品を装着する箱本体と、この箱本体に取り付けられるカバーとを備えている。箱本体には、前述したヒューズ、ヒュージブルリンクなどの電気部品と電気的及び機械的に接続する端子金具が複数装着される。カバーは、一つの部品からなる。カバーには、前記端子金具に取り付けられた電線を外部に逃がすための導出部が設けられている。勿論、導出部は、カバーを貫通して、このカバーの内外を連通している。導出部は、内側に電線を通すことで、これらの電線をカバー即ち電気接続箱の外部に導く。
【０００６】
前述した構成の電気接続箱は、箱本体に端子金具と各種の電気部品との双方を装着する。そして、端子金具に取り付けられた電線を導出部内に通して、カバーを箱本体に取り付ける。こうして、前述した電気接続箱は、組み立てられるとともに、前述した電線とヒューズやヒュージブルリンクなどの電気部品とを予め定められるパターンにしたがって、電気的に接続する。
【特許文献１】特開２０００-１９７２４１号公報
【発明の開示】
【発明が解決しようとする課題】
【０００７】
前述した特許文献１に示された電気接続箱は、カバーが一つの部品からなるので、組み立てる際に、前述したように導出部内に電線を通しながらカバーを箱本体に取り付ける。また、前述した自動車に搭載される電子機器は、より高い電圧値の電流が印加されるようになっている。このため、前述した端子金具に取り付けられる電線は、より太くなる傾向である。さらに、前述した自動車に搭載される電子機器も増加する傾向である。このため、勿論、前述した電線の増加する傾向である。
【０００８】
前述した特許文献１に示された電気接続箱は、特に、電線が太くなったり電線が増加すると、カバーを箱本体に取り付ける際に、電線を導出部内に通しにくくなる。このため、前述した電気接続箱は、カバーを箱本体に取り付けにくくなり、カバーを箱本体に取り付ける際にかかる手間と工数が増加して、組立にかかるコストが高騰する傾向であった。
【０００９】
したがって、本発明の目的は、容易に電気接続箱の箱本体に取り付けることができる電線を通す導出部を備えたカバーと、容易に組み立てることができるカバーを備えた電気接続箱及び容易に電気接続箱の箱本体に取り付けることができる電気接続箱のカバーの取り付け方法を提供することにある。
【課題を解決するための手段】
【００１０】
前記課題を解決し目的を達成するために、請求項１に記載の本発明のカバーは、電気接続箱の電気部品を装着する箱本体に取り付けられるとともに、前記電気部品に接続される電線を通す導出部と、を備えたカバーにおいて、互いに着脱自在な一対のカバー部材を備え、前記カバー部材は、それぞれ、互いに取り付けられると、前記導出部を構成する連通部を備えたことを特徴としている。
【００１１】
請求項２に記載の本発明のカバーは、請求項１記載のカバーにおいて、前記カバー部材は、それぞれ、互いに取り付けられると、互いに重なる重なり部を備えたことを特徴としている。
【００１２】
請求項３に記載の本発明のカバーは、請求項２記載のカバーにおいて、前記重なり部は、一対のカバー部材相互の結合箇所の全長に亘って設けられていることを特徴としている。
【００１３】
請求項４に記載の本発明のカバーは、請求項２又は請求項３に記載のカバーにおいて、一対のカバー部材のうち一方のカバー部材の重なり部に、他方のカバー部材の重なり部に向かって凸のリブを設け、他方のカバー部材の重なり部に前記リブが侵入する溝を設けたことを特徴としている。
【００１４】
請求項５に記載の本発明のカバーは、請求項４記載のカバーにおいて、前記一対のカバー部材は、前記箱本体に取り付けられると、この箱本体と重なるとともに、前記リブと前記溝の少なくとも一部は、前記一対のカバー部材が前記箱本体と重なる方向に沿って延びていることを特徴としている。
【００１５】
請求項６に記載の本発明のカバーは、請求項１ないし請求項５のうちいずれか一項に記載のカバーにおいて、治具台と、この治具台から立設した複数のピンと、を備えた位置決め治具を用いて、前記一対のカバー部材が前記箱本体に取り付けられるとともに、前記カバー部材は、それぞれ、前記ピンに係合する位置決め部を備え、位置決め部に前記ピンが係合して、前記位置決め治具に位置決めされることを特徴としている。
【００１６】
請求項７に記載の本発明のカバーは、請求項６記載のカバーにおいて、前記位置決め部が、前記カバー部材の外方向に延びた突部と、この突部の表面から凹の凹溝と、を備えたことを特徴としている。
【００１７】
請求項８に記載の本発明のカバーは、請求項７記載のカバーにおいて、前記凹溝は、断面円弧状に形成されていることを特徴としている。
【００１８】
請求項９に記載の本発明の電気接続箱は、請求項１ないし請求項８のうちいずれか一項に記載のカバーを備えたことを特徴としている。
【００１９】
請求項１０に記載の本発明の電気接続箱のカバーの取り付け方法は、電気部品に接続される電線を通す導出部を備えたカバーを、前記電気部品を装着する箱本体に取り付ける電気接続箱のカバーの取り付け方法において、前記カバーは、互いに着脱自在な一対のカバー部材を備え、前記カバー部材は、それぞれ、互いに取り付けられると、前記導出部を構成する連通部を備えており、前記箱本体の一方のカバー部材が取り付けられる箇所から離れる方向に前記電線を曲げて、一方のカバー部材を取り付け、前記電線を前記箱本体に取り付けられた一方のカバー部材の連通部内に位置付けて、この一方のカバー部材に近づける方向に曲げて、他方のカバー部材を前記箱本体に取り付けることを特徴としている。
【００２０】
請求項１に記載した本発明のカバーによれば、カバー部材が導出部を構成する連通部を備えている。このため、導出部は、複数のカバー部材に分割されている。これにより、一方のカバー部材を電気接続箱の箱本体に取り付け、電線をこの一方のカバー部材の連通部内に通して、他方のカバー部材を箱本体に取り付けることができる。このため、容易に導出部内に電線を通して、カバーを箱本体に取り付けることができる。
【００２１】
請求項２に記載した本発明のカバーによれば、カバー部材即ちカバーを箱本体に取り付けると、カバー部材の重なり部が互いに重なる。このため、カバー部材間からカバー内に水などの液体が浸入することを防止できる。
【００２２】
請求項３に記載した本発明のカバーによれば、重なり部がカバー部材相互の結合箇所の全長に亘って設けられている。このため、カバー部材間からカバー内に水などの液体が浸入することを確実に防止できる。
【００２３】
請求項４に記載した本発明のカバーによれば、リブが溝内に侵入することで、カバー部材が互いに取り付けられるとともに箱本体に取り付けられる。このため、互いに取り付けられた後即ち箱本体に取り付けられた後に、カバー部材同士が位置ずれすることを防止できる。
【００２４】
請求項５に記載した本発明のカバーによれば、リブと溝の少なくとも一部が、カバーと箱本体とが重なる方向に沿って延びているので、溝内にリブをスライドすることで、一対のカバー部材即ちカバーを箱本体に取り付けることができる。
【００２５】
請求項６に記載した本発明のカバーによれば、位置決め部に位置決め治具のピンを係合させて、位置決め治具にカバー部材を位置決めする。このように、位置決め治具を位置決めするので、カバー部材を容易に箱本体に取り付けることができる。
【００２６】
請求項７に記載した本発明のカバーによれば、位置決め部がピンと係合する凹溝を備えている。このため、凹溝にピンを係合することで、容易で確実に位置決め治具にカバー部材を位置決めすることができる。
【００２７】
請求項８に記載した本発明のカバーによれば、凹溝が断面円弧状に形成されているので、位置決め部のカバー部材からの突出量を抑制でき、カバー部材即ちカバーの小型化を図ることができる。
【００２８】
請求項９に記載した本発明の電気接続箱によれば、箱本体に取り付けられるカバーのカバー部材が導出部を構成する連通部を備えている。このため、導出部は、複数のカバー部材に分割されている。これにより、一方のカバー部材を電気接続箱の箱本体に取り付け、電線をこの一方のカバー部材の連通部内に通して、他方のカバー部材を箱本体に取り付けることで、容易に導出部内に電線を通して、カバーを箱本体に取り付けることができる。
【００２９】
請求項１０に記載した本発明の電気接続箱のカバーの取り付け方法によれば、電線を一方のカバー部材から離れる方向に曲げて、この一方のカバー部材を箱本体に取り付ける。このため、一方のカバー部材を箱本体に取り付ける際に、この一方のカバー部材が電線と干渉することを防止できる。
【００３０】
また、一方のカバー部材を箱本体に取り付けた後、この一方のカバー部材の連通部内に電線を位置付けて、他方のカバー部材を箱本体に取り付ける。このため、他方のカバー部材を箱本体に取り付ける際に、この他方のカバー部材が電線と干渉することを防止できる。
【発明の効果】
【００３１】
以上説明したように請求項１に記載の本発明は、導出部を複数のカバー部材に分割することにより、カバー部材と電線とが干渉することなく、これらのカバー部材を箱本体に取り付けることができる。このため、容易に導出部内に電線を通して、カバー部材を箱本体に取り付けることができる。したがって、容易に電気接続箱の箱本体に取り付けることができる。
【００３２】
請求項２に記載の本発明は、カバー部材の重なり部が互いに重なるため、カバー部材間からカバー内に水などの液体が浸入することを防止できる。したがって、電気接続箱の箱本体に取り付けられた電気部品などに外部から浸入した水などの液体が付着することを防止できる。
【００３３】
請求項３に記載の本発明は、重なり部がカバー部材相互の結合箇所の全長に亘って設けられているため、カバー部材間からカバー内に水などの液体が浸入することを確実に防止できる。したがって、電気接続箱の箱本体に取り付けられた電気部品などに外部から浸入した水などの液体が付着することをより確実に防止できる。
【００３４】
請求項４に記載の本発明は、リブが溝内に侵入するため、互いに取り付けられた後即ち箱本体に取り付けられた後に、カバー部材同士が位置ずれすることを防止できる。また、リブが溝内に侵入するため、互いに取り付けられたカバー部材即ちカバーの剛性を向上させることができる。
【００３５】
請求項５に記載の本発明は、溝内にリブをスライドすることで、一対のカバー部材即ちカバーを箱本体に取り付けることができる。したがって、より容易にカバー部材同士を固定でき、カバーを容易に箱本体に取り付けることができる。
【００３６】
請求項６に記載の本発明は、位置決め治具で位置決めするので、カバー部材同士を容易に取り付けることができるとともに、これらのカバー部材即ちカバーをより一層容易に箱本体に取り付けることができる。
【００３７】
請求項７に記載の本発明は、位置決め部の凹溝にピンを係合することで、容易で確実に位置決め治具にカバー部材を位置決めすることができる。したがって、カバー部材同士をより一層容易に取り付けることができるとともに、これらのカバー部材即ちカバーをより一層容易に箱本体に取り付けることができる。
【００３８】
請求項８に記載の本発明は、凹溝が断面円弧状に形成されているので、位置決め部のカバー部材からの突出量を抑制でき、カバー部材即ちカバーの小型化を図ることができる。
【００３９】
請求項９に記載の本発明は、箱本体に取り付けられるカバーの導出部を複数のカバー部材に分割することにより、カバー部材と電線とが干渉することなく、これらのカバー部材を箱本体に取り付けることができる。このため、容易に導出部内に電線を通して、カバー部材を箱本体に取り付けることができる。したがって、容易に箱本体にカバーを取り付けることができる。則ち、容易に組み立てることができる。
【００４０】
請求項１０に記載の本発明は、一方のカバー部材を箱本体に取り付ける際に、この一方のカバー部材が電線と干渉することを防止できる。また、一方のカバー部材を箱本体に取り付けた後、他方のカバー部材を箱本体に取り付ける際に、この他方のカバー部材が電線と干渉することを防止できる。このため、一対のカバー部材即ちカバーを箱本体に取り付ける際に、これらと電線とが干渉することを防止することができる。したがって、容易に電気接続箱の箱本体にカバーを取り付けることができる。
【発明を実施するための最良の形態】
【００４１】
以下、本発明の一実施形態にかかる電気接続箱を図１ないし図２３に基づいて説明する。本実施形態にかかる図１に示す電気接続箱１は、移動体としての自動車に搭載される。電気接続箱１は、図１及び図２に示すように、箱本体２と、カバー３とを備えている。
【００４２】
箱本体２は、絶縁性の合成樹脂からなり、周知の射出成形により成形される。箱本体２は、複数の外壁４により、筒状（箱状）に形成されている。箱本体２は、内側に複数の電気部品と、これらの電気部品と接続する電線５（図１４などに二点鎖線で示す）付きの端子金具などを収容する。電気部品として、リレー、ヒューズ、ヒュージブルリンク及びコネクタなどが用いられる。端子金具は、導電性の板金などからなり、電線の芯線と電気的及び機械的に接続する。箱本体２は、前述した電気部品と端子金具などと固定される。そして、箱本体２は、図２中下方に位置する一方の開口部を通して、前記電線５を外部に逃がす。
【００４３】
カバー３は、互いに着脱自在な一対のカバー部材６を備えている。カバー部材６は、図３ないし図９に示すように、それぞれ、底壁７と、この底壁７の外縁から立設した複数の周壁８と、連通部としての半管部９と、複数の係止部１０と、複数の位置決め部１１と、重なり部１２と、を備えて、箱状に形成されている。底壁７の平面形状は、四角形状に形成されている。周壁８は、三つ設けられており、前記底壁７の外縁から互いに同方向に延在している。
【００４４】
一対のカバー部材６は、互いに相対する一対の周壁８と、底壁７とが、互いに連なった状態で、互いに取り付けられる。
【００４５】
半管部９は、円管状の部材が軸芯に沿って切断された格好をなして、半円管状に形成されている。半管部９は、底壁７から周壁８の逆向きに立設している。半管部９は、底壁７と複数の周壁８とで囲まれる空間とカバー部材６の外側とを連通している。即ち、半管部９は、カバー部材６の内外を連通している。
【００４６】
また、半管部９は、一対のカバー部材６が互いに取り付けられると、図１２に示すように、互いの軸芯と平行な外縁９ａが重なって、あたかも一体となって、円管状の導出部１３を形成（構成）する。このため、導出部１３は、一対（複数）のカバー部材６ａ，６ｂに分割されている。半管部９即ち導出部１３は、前述した端子金具に取り付けられかつ前述の電気部品と接続される電線５を内側に通して、これらの電線５をカバー部材６即ちカバー３の外側に導く。
【００４７】
前述した互いに相対する一対の周壁８の外縁８ａと、底壁７の周壁８が立設していない外縁７ａと、前述した半管部９の外縁９ａは、一対のカバー部材６相互の結合箇所をなしている。
【００４８】
係止部１０は、カバー部材６それぞれの周壁８の底壁７から離れた側の外縁部に設けられている。係止部１０は、箱本体２に係止する。
【００４９】
位置決め部１１は、カバー部材６それぞれの周壁８の外面から（外方向に）凸の突部１４と、凹溝１５とを備えている。凹溝１５は、突部１４の周壁８の外面と平行な表面１４ａから凹に形成されており、後述の矢印Ｋに沿って直線状に延びている。凹溝１５は、断面円弧状に形成されている。
【００５０】
重なり部１２は、前述した外縁７ａ，８ａ，９ａの全長にわたって設けられている。図３ないし図５に示す一方のカバー部材６（以下符号６ａで示す）では、重なり部１２は、前述した外縁７ａ，８ａ，９ａから図６ないし図９に示す他方のカバー部材６（以下符号６ｂで示す）に向かって即ち一方のカバー部材６ａの外側に向かって延びている。一方のカバー部材６ａの重なり部１２は、前述した底壁７と周壁８と面一に形成されているとともに、半管部９との間に段差を設けて該半管部９より内側に位置している。
【００５１】
他方のカバー部材６ｂでは、重なり部１２は、前述した外縁７ａ，８ａ，９ａから一方のカバー部材６ａに向かって即ち他方のカバー部材６ｂの外側に向かって延びている。他方のカバー部材６ｂの重なり部１２は、前述した半管部９と面一に形成されているとともに、前述した底壁７と周壁８との間に段差を設けてこれらの底壁７と周壁８との双方より外側に位置している。
【００５２】
このため、前述した一対のカバー部材６ａ，６ｂを互いに取り付けると、図１２に示すように、一方のカバー部材６ａの重なり部１２と、他方のカバー部材６ｂの重なり部１２とが互いに重なる。また、一方のカバー部材６ａの重なり部１２より他方のカバー部材６ｂの重なり部１２が、一対のカバー部材６ａ，６ｂ即ちカバー３の外側に位置する。なお、図１２では、代表して半管部９の重なり部１２のみ図示しているが、本実施形態では、前述した外縁７ａ，８ａ，９ａの全長に亘って、重なり部１２が互いに重なり、一方のカバー部材６ａの重なり部１２より他方のカバー部材６ｂの重なり部１２が外側に位置する。
【００５３】
さらに、前述した一方のカバー部材６ａの重なり部１２にはリブ１６が設けられ、他方のカバー部材６ｂの重なり部１２には溝１７が設けられている。リブ１６は、前述した重なり部１２の外面から他方のカバー部材６ｂの重なり部１２に向かって凸に形成されており、前述した外縁７ａ，８ａ，９ａの全長に亘って設けられている。さらに、リブ１６は、前述した外縁７ａ，８ａ，９ａに沿って直線状に延びている。
【００５４】
溝１７は、前述した重なり部１２の内面から凹に形成されており、前述した底壁７の外縁７ａと周壁８の外縁８ａの全長に亘って設けられている。さらに、溝１７は、前述した外縁７ａ，８ａに沿って直線状に延びている。なお、図示例では、溝１７は、底壁７の外縁７ａに連なる重なり部１２と、周壁８の外縁８ａに連なる重なり部１２との双方に設けられており、半管部９の外縁９ａに連なる重なり部１２には設けられていない。溝１７には、リブ１６が侵入する。さらに、図１０に示すように、周壁に近付けられた溝１７の箱本体２寄りの開口部には、テーパ部１８が設けられている。テーパ部１８は、箱本体２に近づくにしたがって、溝１７の開口を徐々に拡げている。
【００５５】
前述した構成のカバー３は、前述した一方のカバー部材６ａが箱本体２に取り付けられた後、他方のカバー部材６ｂが、箱本体２及び一方のカバー部材６ａに取り付けられて、箱本体２に取り付けられる。こうして、図１に示すように、カバー３は、箱本体２に取り付けられる。このとき、箱本体２とカバー３とは、外壁４及び周壁８と平行でかつ底壁７に交差する矢印Ｋに沿って、互いに重なる。矢印Ｋは、本明細書に記した一対のカバー部材６ａ，６ｂが前記箱本体２と重なる方向をなしている。
【００５６】
さらに、図１０及び図１２に示すように、一対のカバー部材６ａ，６ｂの重なり部１２が互いに重なるとともに、図１０及び図１１に示すように、溝１７内にリブ１６が侵入する。このため、前述したリブ１６及び溝１７の周壁８に形成された箇所即ちこれらリブ１６及び溝１７の一部は、矢印Ｋに沿って直線状に延びている。
【００５７】
前述した構成の電気接続箱１は、図１３などに示された位置決め治具２０などを用いて、以下のように組み立てられる。位置決め治具２０は、図１３に示すように、工場などの作業台２１上に設置される治具台としてのベース板２２と、このベース板２２から立設した複数のピン２３とを備えている。ベース板２２は、平板状に形成されており、箱本体２の他方の開口部付近の外形に沿った切欠き２４が設けられている。ベース板２２は、切欠き２４内に前述した他方の開口部付近を収容して、箱本体２をベース板２２即ち作業台２１上に立設した状態に位置決めする。
【００５８】
複数のピン２３は、棒状に形成されている。ピン２３は、ベース板２２に位置決めされた箱本体２に取り付けられるカバー部材６ａ，６ｂの位置決め部１１の凹溝１５内に侵入して、凹溝１５の内面と密に接触する。ピン２３は、凹溝１５の内面と密に接触することで、凹溝１５すなわち位置決め部１１に係合して、カバー部材６ａ，６ｂを位置決めする。また、ピン２３は、係止部１０が箱本体２に係止可能な位置即ち箱本体２に取り付け可能な位置に、一対のカバー部材６ａ，６ｂを位置決めする。さらに、ピン２３は、位置決め部１１に係合して、カバー部材６ａ，６ｂを、矢印Ｋ即ちピン２３自体の長手方向に沿って移動自在に支持する。
【００５９】
前述した構成の位置決め治具２０は、ベース板２２に箱本体２を位置決めし、ピン２３に位置決め部１１を係合することでカバー部材６ａ，６ｂを位置決めして、箱本体２と、一対のカバー部材６ａ，６ｂとを互いに取り付け可能な位置に位置決めする。
【００６０】
まず、前述した構成の電気接続箱１を組み立てる際には、まず、各端子金具に電線５を取り付ける。各端子金具を箱本体２に取り付ける。そして、図１４に示すように、箱本体２の他方の開口部近傍を、位置決め治具２０の切欠き２４と相対させた後、切欠き２４内に箱本体２を挿入する。そして、図１５に示すように、箱本体２をベース板２２から立設した状態に位置決めする。このとき、電線５は、箱本体２即ちベース板２２から離れる方向即ち鉛直方向に沿って上方に向かって延びた格好になっている。
【００６１】
そして、図１６に示すように、電線５を、箱本体２の前述した重なり部１２にリブ１６を設けた一方のカバー部材６ａが取り付けられる箇所から離れる方向に曲げる。即ち、電線５を一方のカバー部材６ａから遠ざける方向に曲げる。そして、位置決め部１１の凹溝１５内にピン２３を侵入させて、一方のカバー部材６ａを箱本体２に近づける。そして、係止部１０を箱本体２に係止して、一方のカバー部材６ａを箱本体２に取り付ける（固定する）。
【００６２】
その後、電線５を、箱本体２に取り付けられた一方のカバー部材６ａの半管部９内に位置付けて、図１７に示すように、箱本体２の前述した重なり部１２に溝１７を設けた他方のカバー部材６ｂが取り付けられる箇所から離れる方向に曲げる。すなわち、電線５を他方のカバー部材６ｂから遠ざける方向（一方のカバー部材６ａに近づける方向）に曲げる。そして、位置決め部１１の凹溝１５内にピン２３を侵入させて、他方のカバー部材６ｂを箱本体２に近づける。このとき、図２１に示すように、溝１７の開口部と、リブ１６とが相対した後、徐々に、図２２に示すように、溝１７内にリブ１６が侵入していく。そして、係止部１０を箱本体２に係止して、他方のカバー部材６ｂを箱本体２に取り付ける（固定する）。
【００６３】
こうして、図１８ないし図２０に示すように、箱本体２に一対のカバー部材６ａ，６ｂ即ちカバー３が取り付けられる。このとき、端子金具に取り付けられかつ前述した電気部品と接続される電線５は、一対の半管部９内即ち導出部１３内を通されている。そして、箱本体２即ち電気接続箱１を位置決め治具２０から取り外して、箱本体２にリレー、ヒューズ、ヒュージブルリンク及びコネクタなどの電気部品を取り付ける。すると、各電気部品は、箱本体２に取り付けられている端子金具などと接続する、こうして、前述した端子金具などを介して、前述した電気接続箱１は、電気部品と電線５とを互いに予め定められたパターンにしたがって、電気的に接続する。
【００６４】
電気接続箱１は、電線５の外周にテープなどが巻かれ、図示しない防水ケース内に収容された格好で、自動車の車体を構成するパネルなどに固定される。前述した電線５は、自動車などに搭載される多種多様な電子機器と接続される。こうして、電気接続箱１は、前述した自動車などに搭載されて、この自動車に搭載される多種多様な電子機器と、電気部品とを、予め定められるパターンにしたがって電気的に接続する。
【００６５】
本実施形態によれば、カバー部材６ａ，６ｂそれぞれが導出部１３を構成する半管部９を備えている。このため、導出部１３は、複数のカバー部材６ａ，６ｂに分割されている。これにより、一方のカバー部材６ａを箱本体２に取り付け、電線５をこの一方のカバー部材６ａの半管部９内に通して、他方のカバー部材６ｂを箱本体２に取り付けることができる。このため、容易に導出部１３内に電線５を通して、カバー部材６ａ，６ｂ即ちカバー３を箱本体２に取り付けることができる。
【００６６】
これにより、導出部１３を複数のカバー部材６ａ，６ｂに分割することにより、カバー部材６ａ，６ｂと電線５とが干渉することなく、これらのカバー部材６ａ，６ｂを箱本体２に取り付けることができる。このため、容易に導出部１３内に電線５を通して、カバー部材６ａ，６ｂを箱本体２に取り付けることができる。したがって、カバー３を容易に箱本体２に取り付けることができ、容易に電気接続箱１を組み立てることができる。
【００６７】
カバー部材６ａ，６ｂ即ちカバー３を箱本体２に取り付けると、カバー部材６ａ，６ｂの重なり部１２が互いに重なる。このため、カバー部材６ａ，６ｂ間からカバー３内に水などの液体が浸入することを防止できる。したがって、電気接続箱１の箱本体２に取り付けられた電気部品などに外部から浸入した水などの液体が付着することを防止できる。
【００６８】
重なり部１２がカバー部材６ａ，６ｂ相互の結合箇所としての外縁７ａ，８ａ，９ａの全長に亘って設けられている。このため、カバー部材６ａ，６ｂ間からカバー３内に水などの液体が浸入することを確実に防止できる。したがって、電気接続箱１の箱本体２に取り付けられた電気部品などに外部から浸入した水などの液体が付着することをより確実に防止できる。
【００６９】
リブ１６が溝１７内に侵入することで、カバー部材６ａ，６ｂが互いに取り付けられるとともに箱本体２に取り付けられる。このため、互いに取り付けられた後即ち箱本体２に取り付けられた後に、カバー部材６ａ，６ｂ同士が位置ずれすることを防止できる。また、リブ１６が溝１７内に侵入するため、互いに取り付けられたカバー部材６ａ，６ｂ即ちカバー３の剛性を向上させることができる。
【００７０】
リブ１６と溝１７の一部が、カバー３と箱本体２とが重なる方向Ｋに沿って延びているので、溝１７内にリブ１６をスライドすることで、一対のカバー部材６ａ，６ｂ即ちカバー３を箱本体２に取り付けることができる。したがって、より容易にカバー部材６ａ，６ｂ同士を固定でき、カバー３を容易に箱本体２に取り付けることができる。
【００７１】
位置決め部１１に位置決め治具２０のピン２３を係合させて、位置決め治具２０にカバー部材６ａ，６ｂを位置決めする。このように、位置決め治具２０を用いて、カバー部材６ａ，６ｂと箱本体２を位置決めするので、カバー部材６ａ，６ｂを容易に箱本体２に取り付けることができる。このため、より容易にカバー部材６ａ，６ｂ同士を固定でき、カバー３を容易に箱本体２に取り付けることができる。
【００７２】
位置決め部１１がピン２３と係合する凹溝１５を備えている。このため、凹溝１５にピン２３を係合することで、容易で確実に位置決め治具２０にカバー部材６ａ，６ｂを位置決めすることができる。したがって、カバー部材６ａ，６ｂ同士をより一層容易に固定することができるとともに、これらのカバー部材６ａ，６ｂ即ちカバー３をより一層容易に箱本体２に取り付けることができる。
【００７３】
凹溝１５が断面円弧状に形成されているので、位置決め部１１のカバー部材６ａ，６ｂからの突出量を抑制でき、カバー部材６ａ，６ｂ即ちカバー３の小型化を図ることができる。
【００７４】
電線５を一方のカバー部材６ａから離れる方向に曲げて、この一方のカバー部材６ａを箱本体２に取り付ける。このため、一方のカバー部材６ａを箱本体２に取り付ける際に、この一方のカバー部材６ａが電線５と干渉することを防止できる。
【００７５】
また、一方のカバー部材６ａを箱本体２に取り付けた後、この一方のカバー部材６ａの半管部９内に電線５を位置付け、他方のカバー部材６ｂから離れる方向に曲げて、他方のカバー部材６ｂを箱本体２に取り付ける。このため、他方のカバー部材６ｂを箱本体２に取り付ける際に、この他方のカバー部材６ｂが電線５と干渉することを防止できる。
【００７６】
このため、一対のカバー部材６ａ，６ｂ即ちカバー３を箱本体２に取り付ける際に、これらと電線５とが干渉することを防止することができる。したがって、容易に電気接続箱１の箱本体２にカバー３を取り付けることができるとともに、電気接続箱１を容易に組み立てることができる。
【００７７】
さらに、溝１７にテーパ部１８が設けられている。このため、カバー部材６ａ，６ｂと箱本体２とが多少位置ずれしても、図２３に示すように、リブ１６がテーパ部１８の内面に接触して、テーパ部１８が、リブ１６を溝１７内に案内する。したがって、一対のカバー部材６ａ，６ｂ即ちカバー３を箱本体２に確実に取り付けることができる。
【００７８】
前述した実施形態では、一方のカバー部材６ａの重なり部１２にリブ１６を設け、他方のカバー部材６ｂの重なり部１２に溝１７を設けている。しかしながら、本発明では、一方のカバー部材６ａの重なり部１２に溝１７を設け、他方のカバー部材６ｂの重なり部１２にリブ１６を設けても良い。
【００７９】
また、前述した実施形態では、導出部１３が円管状に形成されている。しかしながら、本発明では、導出部１３は、管状に形成されていれば、円管以外の形状でも良い。また、重なり部１２を必ずしも設けなくても良い。重なり部１２を、外縁７ａ，８ａ，９ａの全長に亘って設けなくても良い。リブ１６と溝１７とを必ずしも設けなくても良い。リブ１６の溝１７の一部が矢印Ｋに沿って延びていなくても良く、これらのリブ１６の溝１７の少なくとも一部が矢印Ｋに沿って延びているのが望ましい。凹溝１５は、必ずしも断面円弧状に形成されていなくても良い。
【００８０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８１】
【図１】本発明の一実施形態に係る電気接続箱の斜視図である。
【図２】図１に示された電気接続箱を分解して示す斜視図である。
【図３】図２中の矢印ＩＩＩ方向からみた一方のカバー部材の底面図である。
【図４】図２中の矢印ＩＶ方向からみた一方のカバー部材の平面図である。
【図５】図２中の矢印Ｖ方向からみた一方のカバー部材の側面図である。
【図６】図２中の矢印ＶＩ方向からみた他方のカバー部材の平面図である。
【図７】図２中の矢印ＶＩＩ方向からみた他方のカバー部材の側面図である。
【図８】図６中のＶＩＩＩ−ＶＩＩＩ線に沿う断面図である。
【図９】図６中のＩＸ−ＩＸ線に沿う断面図である。
【図１０】図１中のＸ−Ｘ線に沿う断面図である。
【図１１】図１０中のＸＩ−ＸＩ線に沿う断面図である。
【図１２】図１に示された電気接続箱の要部を拡大して示す斜視図である。
【図１３】図１に示された電気接続箱を組み立てる際に用いられる位置決め治具などを示す斜視図である。
【図１４】図１３に示された位置決め治具の切欠きと箱本体とを相対させた状態を示す説明図である。
【図１５】図１４に示された位置決め治具に箱本体を位置決めした状態を示す説明図である。
【図１６】図１５に示された箱本体に一方のカバーを近づける状態を示す説明図である。
【図１７】図１６に示された一方のカバーを取り付けた箱本体に他方のカバーを近づける状態を示す説明図である。
【図１８】図１７に示された一方のカバーと他方のカバー部材との双方を箱本体に取り付けた状態を示す説明図である。
【図１９】図１８に示された状態の箱本体と一方のカバーと他方のカバー部材を示す斜視図である。
【図２０】図１９に示された状態の箱本体と一方のカバーと他方のカバー部材を示す平面図である。
【図２１】図１７に示された状態の溝とリブを示す説明図である。
【図２２】図２１に示された状態から溝内リブが侵入した状態を示す説明図である。
【図２３】図２１に示された溝のテーパ部の内面とリブとが接触した状態を示す説明図である。
【符号の説明】
【００８２】
１  電気接続箱
２  箱本体
３  カバー
５  電線
６  カバー部材
６ａ  一方のカバー部材
６ｂ  他方のカバー部材
７ａ，８ａ，９ａ  外縁（結合箇所）
９  半管部（連通部）
１１  位置決め部
１２  重なり部
１３  導出部
１４  突部
１４ａ  表面
１５  凹溝
１６  リブ
１７  溝
２０  位置決め治具
２２  ベース板（治具台）
２３  ピン
Ｋ  箱本体とカバーとが重なる方向
【図１】
2005269862.tif 000003
【図２】
2005269862.tif 000004
【図３】
2005269862.tif 000005
【図４】
2005269862.tif 000006
【図５】
2005269862.tif 000007
【図６】
2005269862.tif 000008
【図７】
2005269862.tif 000009
【図８】
2005269862.tif 000010
【図９】
2005269862.tif 000011
【図１０】
2005269862.tif 000012
【図１１】
2005269862.tif 000013
【図１２】
2005269862.tif 000014
【図１３】
2005269862.tif 000015
【図１４】
2005269862.tif 000016
【図１５】
2005269862.tif 000017
【図１６】
2005269862.tif 000018
【図１７】
2005269862.tif 000019
【図１８】
2005269862.tif 000020
【図１９】
2005269862.tif 000021
【図２０】
2005269862.tif 000022
【図２１】
2005269862.tif 000023
【図２２】
2005269862.tif 000024
【図２３】
2005269862.tif 000025